(57)【要約】      （修正有）【課題】改良された眼内インプラントを提供する。【解決手段】射出可能眼内インプラントであって、光学部１００、および光学部と同軸に取り付けられた弾性可撓触覚部１０２を含む。【選択図】図１Ａ
2007044506.tif 000002
【特許請求の範囲】
【請求項１】
光学部、および
前記光学部に同軸に設置された弾性可撓触覚部を含む射出可能眼内インプラント。
【請求項２】
前記光学部および前記触覚部は相互にスナップ式に係止するように構成されている、請求項１による射出可能眼内インプラント。
【請求項３】
前記光学部は周辺溝を有し、かつ前記触覚部は前記周辺溝にスナップ式に係止する周辺突起を有する筒状部を含む、請求項２による射出可能眼内インプラント。
【請求項４】
前記光学部は格納部を含む、請求項１から３のいずれか１による射出可能眼内インプラント。
【請求項５】
前記触覚部は生物適合性プラスチックにより形成されている、請求項１から４のいずれか１による射出可能眼内インプラント。
【請求項６】
前記触覚部は複数の外方に延在する触覚部ウイングと一体的に形成された筒状部を含む、請求項１から５のいずれか１による射出可能眼内インプラント。
【請求項７】
前記触覚部ウイングの各々は寄生光の通過を遮断するように着色されている、請求項６による射出可能眼内インプラント。
【請求項８】
前記触覚部は少なくとも一つの螺旋セクションを含む外方に延在する螺旋部を含む、請求項１から５のいずれか１による射出可能眼内インプラント。
【請求項９】
少なくとも一つの螺旋セクションの各々は、
触覚部渦巻き部、
残留渦巻き部、および
前記触覚部渦巻き部と残留渦巻き部を連結する脆部を含む、請求項８による射出可能眼内インプラント。
【請求項１０】
前記触覚部は、概ね円形の内方に対面する壁部および概ね円形の外方に対面する壁部を形成する中空の概ね円筒構造体を含む、請求項１から５のいずれか１による射出可能眼内インプラント。
【請求項１１】
前記内方に対面する壁部は概ね円形の光学部係合孔を内部に形成している、請求項１０による射出可能眼内インプラント。
【請求項１２】
前記内方に対面する壁部および外方に対面する壁部は、概ね円形の光学部係合孔を内部に形成している、請求項１０による射出可能眼内インプラント。
【請求項１３】
光学部、および前記光学部と同軸に設置された弾性可撓触覚部を含む射出可能眼内インプラントを用意し、
前記射出可能インプラントを注射器の送出管内に設置し、
目の水晶体包へ前記送出管を挿入し、
前記射出可能眼内インプラントを水晶体包へ射出することを含む、目に眼内インプラントを挿入する方法。
【請求項１４】
前記射出は水晶体包へ前記インプラントを付勢するために流体圧を利用することを含む、請求項１３による方法。
【請求項１５】
前記流体圧の流体は生物適合性流体である、請求項１２による方法。
【請求項１６】
前記触覚部は触覚部ウイングを含み、かつ前記設置は前記光学部上に前記触覚部ウイングを折り畳むことを含む、請求項１３から１５のいずれか１による方法。
【請求項１７】
前記設置は、前記送出管内で後方に配置された前記光学部の外方対面端と共に前記インプラントを設置することを含む、請求項１３から１６のいずれか１による方法。
【請求項１８】
前記触覚部は外方延在螺旋部を含み、かつ前記設置は前記螺旋部をコイル状に巻き取ることを含む、請求項１３から１７のいずれか１による方法。
【請求項１９】
前記射出は前記注射器を回転することを含む、請求項１８による方法。
【請求項２０】
前記外方に延在する螺旋部は、触覚部渦巻き部、残留渦巻き部、および前記触覚部渦巻き部と残留渦巻き部とを連結する脆部を含み、かつ
前記回転は前記脆部を破壊し、それにより前記触覚部渦巻き部を前記残留渦巻き部から分離する、請求項１９による方法。
【請求項２１】
前記触覚部は外方対面壁部を含み、かつ前記設置は前記外方対面壁部を前記光学部の外方対面端上に引っ張ることを含む、請求項１３から１７のいずれか１による方法。
【請求項２２】
前記設置は前記注射器内の流体流路を閉鎖することを含む、請求項１３から２１のいずれか１による方法。
【請求項２３】
前記射出は前記流体流路の閉鎖を開放することを含む、請求項２２による方法。
【請求項２４】
前記設置は送出注射器へ前記触覚部を吸引することを含む、請求項１３から２３のいずれか１による方法。
【請求項２５】
前記触覚部を穿刺することを含む、請求項１３から２４のいずれか１による方法。
【請求項２６】
眼内インプラント位置決め副集成部品、
触覚部および光学部軸を含む眼内インプラント、
眼内インプラント位置決め副集成部品を保持するハウジングであって、前記ハウジングに対して少なくとも一つの第二所定方位角配向の一つで副集成部品を保持するハウジング、および
傾斜前方縁を有する注射器を含み、
前記眼内インプラントは前記眼内インプラント位置決め副集成部品内で前記副集成部品に対して少なくとも一つの第一所定方位角配向の一つで取付けられ、
前記注射器は、前記ハウジングに対して少なくとも一つの第三所定方位角配向の一つにあるように前記ハウジング内に保持されている、眼内インプラント射出組立体。
【請求項２７】
眼内インプラント位置決め副集成部品、
触覚部および光学部軸を含む眼内インプラント、
眼内インプラント位置決め副集成部品を保持するハウジングであって、前記ハウジングに対して少なくとも一つの第二所定方位角配向の一つで副集成部品を保持するハウジング、および
ユーザ感知可能方位角配向表示器を有する注射器を含み、
前記眼内インプラントは前記副集成部品内で前記副集成部品に対して少なくとも一つの第一所定方位角配向の一つで取付けられ、
前記注射器は、前記ハウジングに対して少なくとも一つの第三所定方位角配向の一つで前記ハウジング内に保持されている、眼内インプラント射出組立体。
【請求項２８】
前記注射器は傾斜前方縁を有し、かつ前記傾斜前方縁が前記ハウジングに対して少なくとも一つの第三所定方位角配向の一つにあるように前記ハウジングに保持されている、請求項２７による眼内インプラント射出組立体。
【請求項２９】
方位角合わせ孔を含む後方位置決め要素、および
前記方位角合わせ孔と係合する方位角合わせピンを含む前方位置決め要素を含み、
前記方位角合わせピンは前記後方位置決め要素と前記前方位置決め要素との間の相対的回転を阻止するように作用する請求項２６から２８のいずれか１による眼内インプラント射出組立体。
【請求項３０】
前記前方位置決め要素は周辺フランジを含み、かつ前記後方位置決め要素は複数のスナップ式係合要素を含み、スナップ式係止により前記周辺フランジと係合するように作用する、請求項２９による眼内インプラント射出組立体。
【請求項３１】
前記触覚部の傾斜部は前記後方位置決め要素の前方内方に対面する先細り部と、前記前方位置決め要素が後方外方に対面する先細り部との間にある請求項２９または３０による眼内インプラント射出組立体。  
【請求項３２】
前記後方位置決め要素の先細り部および前記前方位置決め要素の先細り部は前記触覚部を案内するように構成され、かつ前記眼内インプラントは前記注射器に装填され、それにより前記触覚部の機械的一体性を維持する、請求項３１による眼内インプラント射出組立体。
【請求項３３】
前記眼内インプラント位置決め副集成部品は、その副集成部品に対して少なくとも一つの第一所定方位角配向の一つで前記眼内インプラントを保持するできる複数の眼内インプラント位置決め突起を含む、請求項２６から３２のいずれか１による眼内インプラント射出組立体。
【請求項３４】
前記眼内インプラント位置決め副集成部品は、前方傾斜縁の角度配向に実質的に同一であって前方傾斜縁と係合する構成の角度配向を有する傾斜ショルダを含み、それにより前記眼内インプラント位置決め副集成部品に対して前記注射器の少なくとも一つの所定方位角配向を提供する、請求項２６、および２８から３３のいずれか１による眼内インプラント射出組立体。
【請求項３５】
前記注射器の前方傾斜縁は、前記眼内インプラントが目へ射出されるときに、前記触覚部の折り畳みを継続的に開放するように構成されている、請求項２６、および２８から３４のいずれか１による眼内インプラント射出組立体。
【請求項３６】
前記ハウジングは、ユーザ感知可能方位角配向表示器を摺動自在に収容できる少なくとも一つの長手方向のスロットを含む、請求項２７から３５のいずれか１による眼内インプラント射出組立体。
【請求項３７】
前記ハウジングは弾性材により形成されかつ前記注射器の挿入を可能にするために少なくとも一部が分岐されている、請求項２６から３６のいずれか１による眼内インプラント射出組立体。
【請求項３８】
前記ハウジングと係合するように構成された眼内インプラントデイスプレイサを更に含む、請求項２６から３７のいずれか１による眼内インプラント射出組立体。
【請求項３９】
前記眼内インプラントデイスプレイサは前記眼内インプラントを前記位置決め副集成部品から前記注射器へ押す作用をするシャフト部を含む、請求項３８による眼内インプラント射出組立体。
【請求項４０】
前記触覚部は前記眼内インプラントの本体部上で光学的軸を中心に対称的に折り畳めるように構成され、かつ眼内インプラントが注射器内に設置されるときに前記本体部の前方に延在するように構成されている、請求項２６から３９のいずれか１による眼内インプラント射出組立体。
【請求項４１】
前記眼内インプラントは包体部を含み、かつ前記触覚部は、前記眼内インプラントが目に移植されるときに角膜から前記包体部を付勢するように構成されている、請求項２６から４０のいずれか１による眼内インプラント射出組立体。
【請求項４２】
前記触覚部は複数の触覚部ウイングを含み、各触覚部ウイングは寄生光の通過を遮断するように着色されている、請求項２６から４１のいずれか１による眼内インプラント射出組立体。
【請求項４３】
触覚部を含む眼内インプラント、
傾斜前方縁を有する注射器、および
前記注射器の前方縁に対して少なくとも一つの所定方位角配向の一つで前記眼内インプラントを保持する作用をする眼内インプラント方位角位置決め器を含む、眼内インプラント射出組立体。
【請求項４４】
触覚部を有する眼内インプラント、
ユーザ感知可能方位角配向表示器を有する注射器、および
前記注射器に対して少なくとも一つの所定方位角配向の一つで前記眼内インプラントを保持する作用をする眼内インプラント方位角位置決め器を含む、眼内インプラント射出組立体。
【請求項４５】
前記注射器は傾斜前方縁を有し、かつ前記眼内インプラント方位角位置決め器は前記注射器の傾斜前方縁に対して少なくとも一つの所定方位角配向の一つに前記眼内インプラントを保持する作用をする、請求項４４による眼内インプラント射出組立体。
【請求項４６】
前記眼内インプラント方位角位置決め器は、
方位角合わせ孔を含む後方位置決め要素、および
前記方位角合わせ孔と係合する方位角合わせピンを含む前方位置決め要素を含み、
前記方位角合わせピンは前記後方位置決め要素と前記前方位置決め要素との間の相対的回転を阻止するように作用する請求項４３から４５のいずれか１による眼内インプラント射出組立体。
【請求項４７】
前記前方位置決め要素は周辺フランジを含み、かつ前記後方位置決め要素は複数のスナップ式係合要素を含み、スナップ式係止により前記周辺フランジと係合するように作用する、請求項４６による眼内インプラント射出組立体。
【請求項４８】
前記触覚部の傾斜部は前記後方位置決め要素の前方内方に対面する先細り部と、前記前方位置決め要素が後方外方に対面する先細り部との間にある請求項４６または４７による眼内インプラント射出組立体。  
【請求項４９】
前記後方位置決め要素の先細り部および前記前方位置決め要素の先細り部は前記触覚部を案内するように構成され、かつ前記眼内インプラントは前記注射器に装填され、それにより前記触覚部の機械的一体性を維持する、請求項４８による眼内インプラント射出組立体。
【請求項５０】
前記眼内インプラント方位角位置決め器は、前記注射器に対して少なくとも一つの所定方位角配向の一つで前記眼内インプラントを保持するできる複数の眼内インプラント位置決め突起を含む、請求項４３から４９のいずれか１による眼内インプラント射出組立体。
【請求項５１】
前記眼内インプラント位置決め器は、前方傾斜縁の角度配向に概ね同一であって前方傾斜縁と係合する構成の角度配向を有する傾斜ショルダを含み、それにより前記眼内インプラントと前記注射器間で少なくとも一つの所定方位角配向の一つを提供する、請求項４３、および４５から５０のいずれか１による眼内インプラント射出組立体。
【請求項５２】
前記眼内インプラントを前記位置決め器から前記注射器へ押す作用をするシャフト部を含む眼内インプラントデイスプレイサを更に含む、請求項４３から５１のいずれか１による眼内インプラント射出組立体。
【請求項５３】
前記触覚部は前記眼内インプラントの本体部上で光学的軸を中心に対称的に折り畳むことができ、かつ前記眼内インプラントが前記注射器へ装填されるときに前記本体部の前方へ延在するように構成されている、請求項４３から５２のいずれか１による眼内インプラント射出組立体。
【請求項５４】
前記注射器の傾斜前方縁は、前記眼内インプラントが目へ射出されるときに、前記触覚部の折り畳みを継続的に展開するように構成されている、請求項４３、および４５から５３のいずれか１による眼内インプラント射出組立体。
【請求項５５】
前記眼内インプラントは包体部を含み、かつ前記触覚部は、前記眼内インプラントが目に移植されるときに角膜から前記包体部を付勢するように構成されている、請求項４３から５４のいずれか１による眼内インプラント射出組立体。
【請求項５６】
前記触覚部は複数の触覚部ウイングを含み、各触覚部ウイングは寄生光の通過を遮断するように着色されている、請求項４３から５５のいずれか１による眼内インプラント射出組立体。
【請求項５７】
触覚部を含み、かつ光学的軸を有する眼内インプラントを用意し、
射出器軸を有する射出器内に、前記光学的軸が射出器軸と平行になるように、前記眼内インプラントを設置し、かつ
前記眼内インプラントを前記光学的軸と同軸の射出器軸に沿って移動させることにより前記眼内インプラントを目へ射出することを含む、目に眼内インプラントを射出する方法。
【請求項５８】
前記設置は、前記光学的軸が前記射出器軸と同軸になるように前記射出器内に前記眼内インプラントを設置することを含む、請求項５７による目に眼内インプラントを射出する方法。
【請求項５９】
触覚部を含みかつ光学的軸を有する眼内インプラント、
前記光学的軸が射出器軸と平行になるように、前記眼内インプラントを射出器内に設置させる構成の射出器軸を有する射出器、および
前記眼内インプラントを前記光学的軸と同軸の射出器軸に沿って移動することにより前記眼内インプラントを目へ射出するように作用する眼内インプラントディスプレイサを含む、目に眼内インプラントを射出するシステム。
【請求項６０】
前記射出器軸は、前記射出器軸が前記光学的軸と同軸になるように前記射出器内に前記眼内インプラントを設置させるように構成されている、請求項５９による目に眼内インプラントを射出するシステム。
【発明の詳細な説明】
【技術分野】
【０００１】
本発明は、概ね、接眼レンズインプラント、より具体的には眼内インプラントに関する。
【背景技術】
【０００２】
次の特許は当分野の現状を表すと考えられる。
【０００３】
【特許文献１】ＵＳ特許５８１４１０３
【特許文献２】ＵＳ特許５８７６４４２
【特許文献３】ＵＳ特許５９２８２８３
【特許文献４】ＵＳ特許６００７５７９
【特許文献５】ＵＳ特許６０６６１７１
【特許文献６】ＵＳ特許５６５３７５１
【特許文献７】ＵＳ特許６５９６０２６
【特許文献８】ＵＳ特許６４６４７２５
【特許文献９】ＵＳ特許５３９１２０２
【特許文献１０】ＵＳ特許５３８４６０６
【特許文献１１】ＵＳ特許４０７４３６８
【特許文献１２】ＵＳ特許４９９４０８２
【特許文献１３】ＵＳ特許５６２８７９８
【特許文献１４】ＵＳ特許５２２２９８１
【特許文献１５】ＵＳ特許４１７２２９７
【特許文献１６】ＵＳ特許５７６９８９０
【特許文献１７】ＵＳ特許４８９２５４３
【特許文献１８】ＵＳ特許４３７３２１８
【特許文献１９】ＵＳ特許４９６８１２７
【特許文献２０】ＵＳ特許４７５９７６１
【特許文献２１】ＵＳ特許４９７６７３２
【特許文献２２】ＵＳ特許５７６９８８９
【特許文献２３】公開ＵＳ出願２００１／０１８６１２
【特許文献２４】公開ＰＣＴ出願ＷＯ  ９４／０７４３５
【特許文献２５】公開ＰＣＴ出願ＷＯ  ００／３８５９３
【特許文献２６】公開ＰＣＴ出願ＷＯ  ８３／０１５６６
【特許文献２７】ＤＥ４４０３３２６
【特許文献２８】ＥＰ１０９２４０２
【特許文献２９】ＥＰ０４１９７４０
【特許文献３０】ＧＢ２１８１３５５
【特許文献３１】ＥＰ０８９７７０２
【特許文献３２】ＥＰ０１２１２６１６
【特許文献３３】ＤＥ３４２８８９５
【特許文献３４】ＤＥ１９５０１４４４
【発明の開示】
【発明が解決しようとする課題】
【０００４】
本発明は改良された眼内インプラントを提供することを課題とする。
【課題を解決するための手段】
【０００５】
本発明による射出可能眼内インプラントは、光学部、および前記光学部に同軸に設置された弾性可撓触覚部を含むことを特徴とする。
【０００６】
好適には、前記光学部および前記触覚部は相互にスナップ式に係止するように構成されている。好適には、前記光学部は格納式である。選択的に、前記触覚部は生物適合性プラスチックにより形成されている。
【０００７】
好適には、前記触覚部は複数の外方に延在する触覚部ウイングと一体的に形成された筒状部を含む。好適には、前記触覚部は少なくとも一つの螺旋セクションを含む外方に延在する螺旋部を含む。付加的に、少なくとも一つの螺旋セクションの各々は、触覚部渦巻き部、残留渦巻き部、および前記触覚部渦巻き部と残留渦巻き部を連結する脆部を含む。
【０００８】
選択的に、前記触覚部は、概ね円形の内方に対面する壁部および概ね円形の外方に対面する壁部を形成する中空の概ね円筒構造体を含む。付加的に、前記内方に対面する壁部は概ね円形の光学部係合孔を内部に形成している。選択的に、前記内方に対面する壁部および外方に対面する壁部は、概ね円形の光学部係合孔を内部に形成している。付加的または選択的に、触覚部ウイングの各々は、寄生光の通過を遮断するように着色しされている。
【０００９】
本発明は更に目に眼内インプラントを挿入する方法を提供し、本発明の方法によれば、光学部および前記光学部と同軸に設置された弾性可撓触覚部を含む射出可能眼内インプラントを用意し、 前記射出可能インプラントを注射器の送出管内に設置し、目の水晶体包へ前記送出管を挿入し、前記射出可能眼内インプラントを水晶体包へ射出することが含まれる。
【００１０】
好適には、前記射出は水晶体包へ前記インプラントを付勢するために流体圧を利用することを含む。付加的に、前記流体圧の流体は生物適合性流体である。好適には、前記触覚部は触覚部ウイングを含み、かつ前記設置は前記光学部上に前記触覚部ウイングを折り畳むことを含む。
【００１１】
好適には、前記設置は、前記送出管内で後方に配置された前記光学部の外方対面端と共に前記インプラントを設置することを含む。選択的に、前記触覚部は外方延在螺旋部を含み、かつ前記設置は前記螺旋部をコイル状に巻き取ることを含む。更に、前記射出は前記注射器を回転することを含んでよい。
【００１２】
好適には、前記外方に延在する螺旋部は、触覚部渦巻き部、残留渦巻き部、および前記触覚部渦巻き部と残留渦巻き部とを連結する脆部を含み、かつ前記回転は前記脆部を破壊し、それにより前記触覚部渦巻き部を前記残留渦巻き部から分離する。
【００１３】
選択的に、前記触覚部は外方対面壁部を含み、かつ前記設置は前記外方対面壁部を前記光学部の外方対面端上に引っ張ることを含む。付加的に、前記設置は前記注射器内の流体流路を閉鎖することを含んでよい。付加的に、前記射出は前記流体流路の閉鎖を開放することを含む。
【００１４】
好適には、前記設置は送出注射器へ前記触覚部を吸引することを含む。好適には、前記触覚部を穿刺することを含む。
【００１５】
本発明は、更に、眼内インプラント射出組立体を提供し、本発明による眼内インプラント射出組立体は、眼内インプラント位置決め副集成部品、触覚部および光学的軸を含む眼内インプラント、眼内インプラント位置決め副集成部品を保持するハウジングであって、前記ハウジングに対して少なくとも一つの第二所定方位角配向の一つで副集成部品を保持するハウジング、および傾斜前方縁を有する注射器を含み、前記眼内インプラントは前記眼内インプラント位置決め副集成部品内で前記副集成部品に対して少なくとも一つの第一所定方位角配向の一つで取付けられ、かつ前記注射器は前記ハウジングに対して少なくとも一つの第三所定方位角配向の一つにあるように前記ハウジング内に保持されている。
【００１６】
更に、本発明による他の形態の眼内インプラント射出組立体は、眼内インプラント位置決め副集成部品、触覚部および光学的軸を含む眼内インプラント、眼内インプラント位置決め副集成部品を保持するハウジングであって前記ハウジングに対して少なくとも一つの第二所定方位角配向の一つで副集成部品を保持するハウジング、およびユーザ感知可能方位角配向表示器を有する注射器を含み、前記眼内インプラントは前記副集成部品内で前記副集成部品に対して少なくとも一つの第一所定方位角配向の一つで取付けられ、前記注射器は前記ハウジングに対して少なくとも一つの第三所定方位角配向の一つで前記ハウジング内に保持されている。
【００１７】
好適形態によれば、前記注射器は傾斜した前方縁を有し、かつ前記傾斜前方縁は前記ハウジングに対して少なくとも一つの第三所定方位角配向の一つにあるように前記ハウジングに保持されている。
【００１８】
好適形態によれば、眼内インプラント射出組立体は、方位角合わせ孔を含む後方位置決め要素、および前記方位角合わせ孔と係合する方位角合わせピンを含む前方位置決め要素を含み、前記方位角合わせピンは前記後方位置決め要素と前記前方位置決め要素との間の相対的回転を阻止するように作用する。
【００１９】
好適には、前記前方位置決め要素は周辺フランジを含み、かつ前記後方位置決め要素は複数のスナップ式係合要素を含み、スナップ式係止により前記周辺フランジと係合するように作用する。
【００２０】
好適形態によれば、前記触覚部の傾斜部は前記後方位置決め要素の前方内方に対面する先細り部と、前記前方位置決め要素が後方外方に対面する先細り部との間にある。好適には、前記後方位置決め要素の先細り部および前記前方位置決め要素の先細り部は前記触覚部を案内するように構成され、かつ前記眼内インプラントは前記注射器に装填され、それにより前記触覚部の機械的一体性を維持する。
【００２１】
好適形態によれば、前記眼内インプラント位置決め副集成部品は、その副集成部品に対して少なくとも一つの第一所定方位角配向の一つで前記眼内インプラントを保持するできる複数の眼内インプラント位置決め突起を含む。好適には、前記眼内インプラント位置決め副集成部品は、前方傾斜縁の角度配向に実質的に同一であって前方傾斜縁と係合する構成の角度配向を有する傾斜ショルダを含み、それにより前記眼内インプラント位置決め副集成部品に対して前記注射器の少なくとも一つの所定方位角配向を提供する。
【００２２】
本発明の好適形態によれば、前記注射器の前方傾斜縁は、前記眼内インプラントが目へ射出されるときに、前記触覚部の折り畳みを継続的に開放するように構成されている。好適には、前記ハウジングは、ユーザ感知可能方位角配向表示器を摺動自在に収容できる少なくとも一つの長手方向のスロットを含む。付加的または選択的に、前記ハウジングは弾性材料により形成されかつ前記注射器への挿入を可能にするために少なくとも一部が分岐されている。
【００２３】
好適形態によれば、前記眼内インプラント射出組立体は、前記ハウジングと係合するように構成された眼内インプラントデイスプレイサを更に含む。好適には、前記眼内インプラントデイスプレイサは前記眼内インプラントを前記位置決め副集成部品から前記注射器へ押す作用をするシャフト部を含む。付加的または選択的に、前記触覚部は前記眼内インプラントの本体部上で光学的軸を中心に対称的に折り畳めるように構成され、かつ前記眼内インプラントが前記注射器内に設置されるときに前記本体部の前方へ延在する構成である。
【００２４】
本発明の好適形態によれば、前記眼内インプラントは包体部を含み、かつ前記触覚部は、前記眼内インプラントが目に移植されるときに角膜から前記包体部を付勢するように構成されている。好適には、前記触覚部は複数の触覚部ウイングを含み、各触覚部ウイングは寄生光の通過を遮断するように着色されている。
【００２５】
本発明の他の形態による眼内インプラント射出組立体は、触覚部を含む眼内インプラント、傾斜前方縁を有する注射器、および前記注射器の前方縁に対して少なくとも一つの所定方位角配向の一つで前記眼内インプラントを保持する作用をする眼内インプラント方位角位置決め器を含む。
【００２６】
更に、本発明の他の形態による眼内インプラント射出組立体は、触覚部を有する眼内インプラント、ユーザ感知可能方位角配向表示器を有する注射器、および前記注射器に対して少なくとも一つの所定方位角配向の一つで前記眼内インプラントを保持する作用をする眼内インプラント方位角位置決め器を含む。好適には、前記注射器は傾斜前方縁を有し、かつ前記眼内インプラント方位角位置決め器は前記注射器の傾斜前方縁に対して少なくとも一つの所定方位角配向の一つに前記眼内インプラントを保持する作用をする。
【００２７】
好適形態によれば、前記眼内インプラント方位角位置決め器は、方位角合わせ孔を含む後方位置決め要素、および前記方位角合わせ孔と係合する方位角合わせピンを含む前方位置決め要素を含み、前記方位角合わせピンは前記後方位置決め要素と前記前方位置決め要素との間の相対的回転を阻止するように作用する。好適には、前記前方位置決め要素は周辺フランジを含み、かつ前記後方位置決め要素は複数のスナップ式係合要素を含み、スナップ式係止により前記周辺フランジと係合するように作用する。
【００２８】
好適形態によれば、前記触覚部の傾斜部は前記後方位置決め要素の前方内方に対面する先細り部と、前記前方位置決め要素が後方外方に対面する先細り部との間にある。好適には、前記後方位置決め要素の先細り部および前記前方位置決め要素の先細り部は前記触覚部を案内するように構成され、かつ前記眼内インプラントは前記注射器へ装填され、それにより前記触覚部の機械的一体性を維持する。
【００２９】
好適形態によれば、前記眼内インプラント方位角位置決め器は、前記注射器に対して少なくとも一つの所定方位角配向の一つで前記眼内インプラントを保持するできる複数の眼内インプラント位置決め突起を含む。好適には、前記眼内インプラント位置決め器は、傾斜前方縁の角度配向に概ね同一であって傾斜前方縁と係合する構成の角度配向を有する傾斜ショルダを含み、それにより前記眼内インプラントと前記注射器間で少なくとも一つの所定方位角配向の一つを提供する。
【００３０】
好適形態によれば、前記眼内インプラント射出組立体は、前記眼内インプラントを前記位置決め器から前記注射器へ押す作用をするシャフト部を含む眼内インプラントデイスプレイサを更に含む。好適には、前記触覚部は前記眼内インプラントの本体部上で光学的軸を中心に対称的に折り畳むことができ、かつ前記眼内インプラントが前記注射器へ装填されるときに前記本体部の前方へ延在するように構成されている。付加的または選択的に、前記注射器の傾斜前方縁は、前記眼内インプラントが目へ射出されるときに、前記触覚部の折り畳みを継続的に開放するように構成されている。
【００３１】
好適形態によれば、前記眼内インプラントは包体部を含み、かつ前記触覚部は、前記眼内インプラントが目に移植されるときに、角膜から前記包体部を付勢するように構成されている。好適には、前記触覚部は複数の触覚部ウイングを含み、各触覚部ウイングは寄生光の通過を遮断するように着色されている。
【００３２】
本発明は、更に、目に眼内インプラントを射出する方法を提供し、この眼内インプラント射出方法は、触覚部を含みかつ光学的軸を有する眼内インプラントを用意し、射出器軸を有する射出器内に、前記光学的軸が射出器軸と平行になるように、前記眼内インプラントを設置し、かつ前記眼内インプラントを前記光学的軸と同軸の射出器軸に沿って移動させることにより前記眼内インプラントを目へ射出することを含む。好適には、前記設置は、前記光学的軸が前記射出器軸と同軸になるように前記射出器内に前記眼内インプラントを設置することを含む。
【００３３】
更に、本発明は目に眼内インプラントを射出するシステムを提供し、このシステムは、触覚部を含みかつ光学的軸を有する眼内インプラント、前記光学的軸が射出器軸と平行になるように、前記眼内インプラントを射出器内に設置させるように構成された射出器軸を有する射出器、および前記眼内インプラントを前記光学的軸と同軸の射出器軸に沿って移動することにより前記眼内インプラントを目へ射出するように作用する眼内インプラントディスプレイサを含む。好適には、前記眼内インプラントは、前記射出器軸が前記光学的軸と同軸になるように前記射出器内に設置される構成である。
【発明を実施するための最良の形態】
【００３４】
図面を参照して本発明を更に詳細に説明する。
図１Ａから１Ｄを参照すると、本発明の好適形態に従って構成されかつ作用する射出可能（injectable)眼内インプラントが示されている。眼内インプラントは、好適には、光学部１００および触覚部１０２を有し、触覚部１０２は好適には光学部１００にスナップ式に係止する。
【００３５】
光学部１００は適宜光学部であってよく、かつ好適には、必須でないが格納式である。好適眼内インプラントは次に記載の出願人／譲受人による特許に記載され、その開示はここに参考として組み込まれる。
【００３６】
ＵＳ特許５３９１２０２、５３５４３３５、５８１４１０３、５９２８２８３、６００７５７９、６０６６１７１、６５６９１９９および６５９６０２７、並びに公開された出願ＵＳＳＮ１０／３４２１６０および１０／３２１７９３。
【００３７】
光学部１００は、上述の特許に記載の特徴の一つまたはそれ以上を適宜の組合せで含んでよく、かつ好適には、以下、外方に対面する端１１０もしくは外方対面端１１０と呼ぶ一端に隣接して周溝１１２を有する筒状形態である。触覚部１０２は生物適合性プラスチック等弾性可撓材料により形成され、かつ外方に延在する複数の触覚部ウイング１２６と一体的に形成された筒状部１２４を含む。筒状部１２４は、好適には、以下外方に対面する端１３０もしくは外方対面端１３０と呼ぶ一端に隣接する内方に向かう周辺突起１２８と共に形成される。突起１２８は、筒状部１２４が図示されたように光学部１００と同軸に取り囲む関係になるときに、光学部１００上で溝１１２と、通常は取り外し不可能にスナップ式に係止するように構成される。
【００３８】
理解されるように、触覚部ウイング１２６は、寄生光の通過を遮断するために、少なくとも一部が不透明であることが好ましい。
【００３９】
光学部１００の周溝１１２が外方対面端１１０に沿って適宜場所に位置決めされてよく、かつ触覚部１０２の筒状部１２４の内方を向いた周辺突起１２８は外方対面端１３０に沿って適宜場所に位置決めされてよく、光学部１００および触覚部１０２の通常は取り外し不可能のスナップ式に係止を行う。
【００４０】
図２および３を参照すると、流体充填皮下送出注射器１４０内に設置された図１Ａから１Ｄの射出可能眼内インプラントの単純化された説明図および断面図が示されている。理解されるように、触覚部ウイング１２６は光学部１００上に折り畳まれ、かつ眼内インプラントは、注射器１４０の送出管１４２内で後方に配置された外方に対面する端１１０および１３０を有する構成である。生物適合性流体１４４等の流体が注射器１４０のピストン１４６の前方およびインプラントの後方に位置する。
【００４１】
図４Ａ、４Ｂ、４Ｃ、および４Ｄを参照すると、患者の目に対して射出される図２および３の注射器内の図１Ａから１Ｄの眼内インプラントの四つの射出工程が単純化された断面図で示されている。図４Ａは、注射器１４０の送出管１４２の先端の目の水晶体包への初期挿入を示す。図４Ｂは水晶体包へ注射器１４０から付勢されるインプラントを示す。図４Ｃは水晶体包内側の触覚部ウイング１２６の折り畳みの展開を示し、かつ図４Ｄは水晶体包内で完全に展開した触覚部ウイング１２６を含むインプラントの適正配向を示す。
【００４２】
図５および６を参照すると特別設計された流体無充填注射器１６０内に設置された図１Ａから１Ｄの射出可能眼内インプラントの単純化された説明図および断面図を示す。理解されるように、触覚部ウイング１２６は光学部１００上に折り畳まれ、かつインプラントは外方対面端１１０および１３０が注射器１６０の送出管１６２内で後方に配置されるように設置される。注射器１６０のピストン１６６は、インプラントの光学部１００の外方対面端１１０と係合する。
【００４３】
図７Ａ、７Ｂ、７Ｃ、および７Ｄを参照すると、患者の目へ注射する図５および６の注射器装置の図１Ａから１Ｄの眼内インプラントの四つの射出工程の単純化された断面図が示されている。図７Ａは目の水晶体包への注射器１６０の送出管１６２の先端の初期挿入を示す。図７Ｂは、水晶体包へ注射器１６０から付勢されるインプラントを示す。図７Ｃは水晶体包内側の触覚部ウイング１２６の展開を示す。図７Ｄは、水晶体包内で完全に展開した触覚部ウイング１２６を含むインプラントの適正配向を示す。
【００４４】
図８Ａから８Ｄを参照すると、本発明の他の好適形態に従って構成されかつ作用する射出可能眼内インプラントを示す。理解されるように、インプラントは好適には光学部２００および触覚部２０２を含み、触覚部２０２は好適には光学部２００にスナップ式に係止する。
【００４５】
光学部２００は適宜光学部であってよく、かつ好適には必須でないが、格納式である。好適眼内インプラントは出願人／譲受人による次の特許に記載され、その開示は参考としてここに組み込まれる。
【００４６】
ＵＳ特許５３９１２０２、５３５４３３５、５８１４１０３、５８７６４４２、５２８２８３、６００７５７９、６０６６１７１、６５６９１９９、６５９６０２６、ならびに公開出願ＵＳＳＮ１０／３４２１６０および１０／３２１７９３。
【００４７】
光学部２００は上述の特許に記載の一つまたはそれ以上の特徴を含み、かつ好適には、以下内方に対面する端２１０もしくは内方対面端２１０と呼ぶ一端に隣接して周溝２１２を有するシリンダ形態である。触覚部２０２は、好適には、生物適合性プラスチック等の弾性可撓材料により形成されかつ外方に延在する螺旋部２２２および概ね筒状の端部２２４と一体的に形成され概ね筒状の光学部係合部２２０を含む。
【００４８】
筒状光学部係合部２２０は、好適には、以下内方に対面する端２３０もしくは内方対面端と呼ぶ一端に隣接して内方に向かう周辺突起２２８と共に形成される。突起２２８は、筒状光学部係合部２２０が図示光学部２００を同軸に取り囲む関係にあるときに、光学部２００上で溝２１２と、通常は取り外し不可能にスナップ式に係止するように構成される。
【００４９】
理解されるように、光学部２００の周溝２１２は光学部の周辺に沿って適宜場所に位置決めされてよく、かつ触覚部２０２の筒状光学部係合部２２０の内方へ向かう周辺突起２２８は光学部２００と触覚部２０２の通常は取り外し不可能のスナップ式係止を提供するために触覚部の周辺に沿って適宜場所に位置決めされてよい。
【００５０】
図８Ａに示されたように、外方に延在する螺旋部２２２は、概ね筒状の光学部係合部２２０に一端で連結されかつ他端で概ね筒状の端部２２４へ連結された好適には少なくとも一つの、そして好適には二つまたはそれ以上の螺旋セクション２３４を含む。少なくとも一つの螺旋セクション２３４の各々は好適には、切欠いた脆部２４０で残留（residual)渦巻き部２３８に連結された触覚部渦巻き部２３６を含む。切欠いた脆部２４０は、図１１Ｂを参照して次に説明するように、残留渦巻き部２３８から触覚部渦巻き部２３６を分離するために設けられる。
【００５１】
選択的に、切欠いた脆部２４０および残留渦巻き部２３８は設けられず、かつ触覚部渦巻き部２３６が概ね筒状端部２２４へ直接的に結合されてよい。この形態において、端部２２４は、図１２Ａから１２Ｄを参照して後述するように、目の水晶体包へ射出される。
【００５２】
図８Ａ、８Ｂ、および８Ｃから理解されるように、図８Ａから８Ｄの眼内インプラントの目への射出前に、概ね筒状の端部２２４が注射器２５０へ設置され、かつ外方に延在する螺旋部２２２が注射器２５０内側で緊密コイル位置へ矢印２５２により示されたように巻回される（図８Ａ）。図８Ｄに示されたように、筒状光学部係合部２２０は、次に、光学部２００とスナップ式に係止するように設置される。
【００５３】
図９および１０を参照すると、注射器２５０内に設置された図８Ａから８Ｄの射出可能眼内インプラントの単純化された説明図および断面図が示されている。理解されるように、触覚部２０２の外方延在螺旋部２２２は光学部２００上にコイル状に巻回されかつインプラントは、注射器２５０の送出管２５４内で前方に配置された内方対面端２１０および２３０を有する構成である。注射器２５０のピストン２５６は触覚部２０２の概ね筒状の端部２２４と係合する。
【００５４】
図１１Ａ、１１Ｂ、１１Ｃ、および１１Ｄを参照すると、患者の目に注射する図９および１０の注射器装置内の図８Ａから８Ｄの眼内インプラントの四つの射出工程の単純化された断面図が示されている。
【００５５】
図１１Ａは目の水晶体包へ注射器２５０の送出管２５４の先端の初期挿入を示す。
【００５６】
図１１Ｂは水晶体包へ注射器２５０から付勢されるインプラントを示す。図１１Ｂから理解されるように、触覚部渦巻き部２３６はコイルが巻き戻されかつ注射器２５０を脱出した後に水晶体包へ向けて外方へ伸張する。切欠き脆部２４０の注射器からの脱出に続いて、注射器２５０は矢印２６０により示されたように回転して脆部２４０を破壊し触覚部渦巻き部２３６と残留渦巻き部２３８を分離する。
【００５７】
図１１Ｃに示されたように、触覚部渦巻き部２３６と残留渦巻き部２３８との分離に続いて、触覚部渦巻き部２３６は光学部２００と共に水晶体包に残り、他方残留渦巻き部２３８は注射器２５０内に残り、注射器はその後に目から除去される。
【００５８】
図１１Ｄはインプラントの適正配向を示し、触覚部２０２の完全展開触覚部渦巻き部および光学部２００を水晶体包内に含む。
【００５９】
図１２Ａ、１２Ｂ、１２Ｃ、および１２Ｄを参照すると、本発明の他の好適形態による患者の目に注射する図９および１０の注射器装置内の図８Ａから８Ｄの眼内インプラントの四つの射出工程が単純化された断面図で示されている。図１２Ａから１２Ｄの形態において、少なくとも一つの螺旋セクション２３４の触覚部渦巻き部２３６は一端で概ね筒状の光学部係合部２２０に連結されかつ他端で概ね筒状の端部２２４へ連結され、かつ螺旋セクション２３４は好適には切欠き脆部２４０および残留渦巻き部２３８を含まない。選択的に、螺旋セクション２３４は端部２２４に連結された切欠き脆部２４０および残留渦巻き部２３８を含んでよい。
【００６０】
図１２Ａは目の水晶体包への注射器２５０の送出管２５４の先端の初期挿入を示す。
【００６１】
図１２Ｂは水晶体包へ注射器２５０から付勢されるインプラントを示す。
図１２Ｂから理解されるように、触覚部渦巻き部２３６は、注射器２５０抜き取り後に巻き戻されて水晶体包内で外方へ伸張する。図１２Ｂの形態は、注射器２５０が切欠き脆部２４０を破壊するために回転することなく、かつ全触覚部２０２が水晶体包へ射出される点で図１１Ｂの形態と相違する。
【００６２】
図１２Ｃおよび１２Ｄから理解されるように、触覚部２０２および光学部２００の発射に続いて、注射器２５０は目から除去され、かつ外方に伸張した螺旋部２２２は初期形態に巻き戻されてインプラントの適正配向を提供し、水晶体包内には完全に展開した触覚部２０２の触覚部渦巻き部２３６および光学部２００が含まれる。
【００６３】
図１３Ａから１３Ｃを参照すると、本発明の他の好適形態に従って構成されかつ作用する射出可能眼内インプラントが示されている。理解されるように、インプラントは好適には光学部３００、および光学部３００に好ましくはスナップ式に係止する触覚部３０２を含む。
【００６４】
光学部３００はいずれかの適宜光学部であってよく、かつ好適には必須でないが、格納式である。好適眼内インプラントは本出願人／譲受人による次の公開特許書類に記載され、その開示はここに引用される。
【００６５】
ＵＳ特許５３９１２０２、５３５４３３５、５８１４１０３、５９２８２８３、６００７５７９、６００６６１７１、６５６９１９９および６５９６０２６、ならびにＵＳ公開出願ＵＳＳＮ１０／３４２１６０および１０／３２１７９３。
【００６６】
光学部３００は上述の特許書類に記載の一つまたは適宜組み合わせの二つ以上の特徴を含んでよく、かつ好適には、以下で内方に対面する端３１０もしくは内方対面端と呼ぶ、一端に隣接して周溝３１２を有するシリンダの形態である。
【００６７】
触覚部３０２は好適には弾性可撓材料により形成され、中空の概ね筒状構造を有し、概ね円形の内方に対面する壁部３１４および概ね円形の外方に対面する壁部３１６を形成する。壁部３１４および３１６の各々は、好適には概ね円形の光学部係合孔３２０を形成する。壁部３１４および３１６の各々は、好適には光学部係合孔３２０に隣接して内方に向いた周辺突起３２８と共に形成される。壁部３１４の突起３２８は、触覚部３０２が図示されたように光学部３００と同軸で取り囲む関係のときに、光学部３００の溝３１２と通常取り外し不可能にスナップ式に係止するように構成される。
【００６８】
壁部３１６の突起３２８は、更に後述するように、注射器と壁部３１６が係合するように構成される。
【００６９】
理解されるように、触覚部３０２は好適には透明材料で形成されるが、まぶしい光を遮るかつ／または抑えるために適当であれば不透明材料により形成されてよい。
【００７０】
図１４Ａおよび１４Ｂを参照すると、注射器内に設置された図１３Ａから１３Ｃの射出可能眼内インプラントの単純化された説明図および断面図が示され、かつ図１５Ａ、１５Ｂ、１５Ｃ、および１５Ｄを参照すると、患者の目に対する図１４Ａおよび１４Ｂの皮下注射器内の図１３Ａから図１３Ｃの眼内インプラントの射出の四工程の単純化した断面図が示されている。
【００７１】
図１４Ａおよび１４Ｂから理解されるように、目への図１３Ａから１３Ｃの眼内インプラントの射出前に、触覚部３０２の外方に対面する壁部３１６は光学部３９９の外方に対面する端３３０上に引っ張られかつ注射器３５０の外壁３４０と係合するように吸引される。図１４Ｂに特に見られるように、外壁３４０は好適には壁部３１６の突起３２８と係合する内方を向いた周辺突起３５２を含み、それにより触覚部３０２の壁部３１６を注射器３５０に固定する。図１４Ａおよび１４Ｂに見られるように、壁部３１６の引っ張りによって触覚部３０２は光学部３００上に横たわる細長い概ね筒状配向に一時的に変形する。
【００７２】
注射器３５０は、好適には、所定場所３５８で注射器３５０の後方対面壁３５６と流体により連絡する流体流路３５４を含む。流体流路３５４は、また、好適には、管３６０を介して真空ポンプ（図示せず）と流体により連絡する。  
【００７３】
図１５Ａに示されたように、水晶体包へ射出可能眼内インプラントの挿入前に、流体流路３５４は一時的にカバー場所３５８により閉鎖され、かつ真空ポンプが作動して触覚部３０２内に含まれる空気を除去する。図１５Ａは目の水晶体包への注射器３５０の初期挿入を示す。理解されるように、真空ポンプの作動は触覚部３０２を光学部３００上に密接に重ねる。
【００７４】
図１５Ｂおよび１５Ｃに示されたように、水晶体包へのインプラントの設置に続き、インプラントの触覚部３０２は、触覚部３０２の壁部３１４および３１６が初期の概ね円形の配向に戻るときに光学部３００から外方へ拡がる。図１５Ｂに示されたように、流体流路３５４の開封は空気を流通させ触覚部３０２と光学部３００との間に形成された空間へ送り、触覚部３０２を膨張させ、注射器３５０の外壁３４０を触覚部３０２の壁部３１６の突起３２８から離脱させる。
【００７５】
図１５Ｄに示されたように、触覚部３０２および光学部３００の射出に続き、注射器３５０は目から除去され、かつ触覚部３０２は初期形態に戻り、インプラントの適正配向を提供し、水晶体包内には完全に展開した触覚部３０２および光学部３００が含まれる。
【００７６】
図１６Ａから１６Ｃを参照すると、本発明の他の好適形態により構成されかつ作用する射出可能眼内インプラントが示されている。理解されるように、インプラントは好適には光学部４００、および光学部４００へスナップ式に係止またはシュリンク係止する触覚部４０２を含む。
【００７７】
視覚部もしくは光学部４００はいずれかの適宜光学部あってよく、かつ好適には必須でないが、格部式である。好適眼内インプラントは出願人／譲受人による次の公開特許書類に記載され、その開示はここに参考として引用される。
【００７８】
ＵＳ特許５３９１２０２、５３５４３３５、５８１４１０４５８７６４４２、５９２８２８３、６００７５７９、６０６６１７１、６５６９１９９および６５９６０２ならびにＵＳ公開出願ＵＳＳＮ１０／３４２１６０および１０／３２１７９３。
【００７９】
光学部４００は、上述の書類に記載の一つまたはそれ以上の特徴をいずれか適宜に組み合わせて有していてよく、かつ以下に内方対面端４１０と呼ばれる一端に隣接して周溝４１２を有するシリンダ形態である。
【００８０】
触覚部４０２は好適には弾性可撓材料により形成され、中空の概ね筒状の構造を有し、概ね円形の内方対面壁部４１４および概ね円形の外方対面壁部４１６を形成する。壁部４１４は、好適には、概ね円形の光学部係合孔４２０を形成する。壁部４１４は、好適には、光学部係合孔４２０に隣接して内方に向いた周辺突起４２８と共に形成される。壁部４１４の突起４２８は、触覚部４０２が図示されたように光学部４００を同軸で取り囲む関係になるときに、光学部４００の溝４１２と通常は取り外し不可にスナップ式に係止または引っ張り係止するように構成される。
【００８１】
理解されるように、触覚部４０２は好適には透明材料により形成されるが、まぶしさを解消かつ／または低減するために適当であれば不透明部と共に形成されてよい。
【００８２】
図１７Ａおよび１７Ｂを参照すると、注射器内に設置された図１６Ａから１６Ｃの射出可能眼内インプラントの単純化された説明図および断面図が示され、かつ図１８Ａ、１８Ｂ、１８Ｃ、および１８Ｄを参照すると、患者の目に対する図１７Ａおよび１７Ｂの注射器内の図１６Ａから図１６Ｃの眼内インプラントの射出の四工程の単純化した断面図が示されている。
【００８３】
図１７Ａおよび１７４Ｂから理解されるように、目への図１６Ａから１６Ｃの眼内インプラントの射出前に、触覚部４０２の外方に対面する壁部４１６はプランジャ４５６を矢印４５８の方向へ伸張することにより真空送出注射器４５０へ吸引される。図１７Ａおよび１７Ｂに見られるように、注射器４５０への壁部４１６の吸引によって触覚部４０２は光学部４００上に横たわる細長い概ね円筒の配向に一時的に変形する。
【００８４】
図１８Ａは矢印４６０の方向における目の水晶体包への注射器４５０の初期挿入を示す。理解されるように、図１７Ａおよび１７Ｂの位置におけるプランジャ４５６の維持は、水晶体包への注射器４５０の初期挿入時に、注射器４５０内の真空を維持しかつ触覚部４０２を光学部４００上に密接に重ねる。
【００８５】
図１８Ｂに更に示されたように、水晶体包へのインプラントの設置に続いて、プランジャ４５６が矢印４６４の方向へ押され、かつインプラントの触覚部４０２は注射器４５０から解放される。インプラントの注射器４５０からの解放に続いて、触覚部４０２は、触覚部４０２の壁部４１４および４１６が初期の概ね円形の配向に戻るときに、光学部４００から外方へ拡がる。
【００８６】
図１８Ｃに更に示されたように、インプラントの解放および注射器４５０の除去に続いて、孔が壁部４１６内、好ましくはフック４６８により壁部４１６を穿孔することにより形成され、水性流体が目から、光学部４００と触覚部４０２との間の領域へ流れるようにする。図１８Ｄに更に示されたように、フック４６８の除去に続き、触覚部４０２が水性流体４７０で充填されかつ初期形態に戻り、インプラントの適正配向を提供し、水晶体包内には完全に展開した触覚部４０２および光学部４００が含まれる。
【００８７】
図１９Ａおよび１９Ｂを参照すると、流体充填送出注射器内に設置された図１６Ａから１６Ｃの射出可能眼内インプラントの単純化された説明図および断面図が示され、かつ図２０Ａ、２０Ｂ、２０Ｃ、および２０Ｄを参照すると、患者の目に対する図１９Ａおよび１９Ｂの注射器装置内の図１６Ａから図１６Ｃの眼内インプラントの射出の四工程の単純化した断面図が示されている。
【００８８】
図１９Ａおよび１９Ｂから理解されるように、目への図１６Ａから１６Ｃの眼内インプラントの射出前に、触覚部４０２の外方に対面する壁部４１６は光学部４００の外方に対面する端４９０上に引っ張られ、眼内インプラントは流体充填送出注射器５００へ挿入される。図１９Ａおよび１９Ｂに見られるように、壁部４１６の端４９０上への引っ張りによって触覚部４０２は光学部４００上に重なる細長い概ね筒状の配向に一時的に変形する。生物適合性流体５０４等の流体が注射器５００のピストン５０６の前方そしてインプラントの後方に位置する。
【００８９】
理解されるように、触覚部４０２は、適宜方法により、含塩物または空気等の適宜生物適合性流体５１０で、注射器５００へ挿入前に充填されてよい。更に、触覚部４０２への流体５１０の挿入は、目への射出前に、眼内インプラントのためのクッションを提供する。
【００９０】
図２０Ａは目の水晶体包への注射器５００の先端の初期挿入を示す。理解されるように、触覚部４０２の一時的変形は注射器５００内での触覚部４０２の光学部４００上への密接重合を可能にする。
【００９１】
図２０Ｂに更に示されたように、水晶体包への注射器５００の設置に続いて、インプラントは水晶体包へ注射器５００から付勢される。図２０Ｂから理解されるように、触覚部４０２は、触覚部４０２の壁部４１４および４１６が概ね円形の配向に戻るときに、光学部４００から外方へ拡がる。注射器５００は水晶体包から続いて除去される。
【００９２】
図２０Ｃに更に示されたように、孔が壁部４１６内に、好適にはフック５１８により壁部４１６を穿孔することにより形成され、水性流体を目から光学部４００と触覚部４０２との間の領域へ流し、かつ生物適合性流体５１０と混合する。選択的に、注射器５００へ挿入する前には触覚部４０２に生物適合性流体５１０が充填されず、そして壁部４１６の穿孔が水性流体の目から光学部４００と触覚部４０２との間の領域へ通過を可能にする。
【００９３】
図２０Ｄに更に示されたように、フック５１８の除去に続き、触覚部４０２はその初期形態に戻り、インプラントの適正配向を提供し、水晶体包内には完全に展開した触覚部４０２と光学部４００が含まれる。
【００９４】
図２１Ａおよび２１Ｂを参照すると、本発明の他の好適実施形態により構成されかつ作用もしくは機能する眼内インプラントの射出組立体の単純化した拡大解説図が示されている。
【００９５】
図２１Ａおよび２１Ｂから理解されるように、射出組立体は、好適には、注射器６１０と共働するプランジャ６００を含む。注射器６１０はハウジング要素６２０内に可動設置され、ハウジング要素は長軸に沿って配置されている。眼内インプラント６３０は後方位置決め要素６４０を含む位置決め組立体により射出のために予め位置決めされ、後方位置決め要素は注射器６１０、そして前方位置決め要素６５０と共働する。圧縮バネ６６０が前方位置決め要素６５０と、ハウジング６２０の前方端と係合する眼内位置決めデイスプレイサ要素６７０との間に着座している。
【００９６】
図２２および２３を参照すると、図２１Ａおよび２１Ｂ図の射出組立体のプランジャ６００の形成部を単純化した解説図および断面図が示されている。プランジャ６００は、好適には、射出成形等によりプラスチックの単一片で形成され、かつ概ねディスク状の係合面６７４で終端する軸６２２に沿って設置された後方軸部６７２を含む。後方軸部６７２の前方に第一ディクス状プランジャ部６７６が設けられている。前方軸部６７８はプランジャ部６７６の前方にあり後方軸部６７２と同軸であり、第二筒状プランジャ部６８０内で終端している。
【００９７】
図２４および図２５は、それぞれ、注射器６１０の単純化した解説図および単純化した断面図を示す。注射器６１０は、好適には、概ね円筒状の後方部６８２を含み、開放後方端６８４および対向孔６８６を有する。先細り部６８８が前方にあり、鋭角前方縁６９２を有する概ね円筒の前方部６９０で終端している。
【００９８】
前方部６９０は、円筒後方部６８２と同様の壁厚を有する後方部６９４、および円筒後方部６８２よりも実質的に厚い壁厚を有しかつ対向側孔６９８が形成された前方部６９６を含む。
【００９９】
図２５から理解されるように、前方部６９６の外面に沿って好適にはショルダ７０４が形成され、外面の外径はショルダのところで変化している。ショルダ７０４の前方の外面の外径はショルダ７０４の後方の外面の外径よりも小さい。
【０１００】
図２６および２７は、それぞれ、ハウジング要素６２０の単純化した解説図および単純化した断面図を示す。ハウジング要素６２０は、好適には、概ね円筒の後部７１０を含み、開放後方端７１２、およびそれぞれ参照番号７１４および７１６で示された軸方向に細長い二対の対向側スロットを有する。側スロット７１４は、好適には、側スロット７１６に対して９０°角方向にオフセットしている。側スロット７１６は指係合突起７０２を摺動自在に収容できる構成である（図２４および２５）。
【０１０１】
概ね円筒状の後部７１０は、好適には、弾性材料により形成され、かつ注射器６１０の挿入を可能にするために線７１８に沿って一部分岐されている。
【０１０２】
概ね円筒形の前方７２４が円筒形後部７１０の前方でショルダ７２２を形成するリング部７２０により円筒形後部に一体的に結合され、開放前方端７２６を有しかつ軸方向に細長い複数のスロット７２８を有する。
【０１０３】
図２８Ａ、２８Ｂおよび図２９を参照すると、それぞれ、後方位置決め要素６４０の単純化した解説図、単純化した断面図が示されている。後方位置決め要素６４０は、好適には、概ね円筒状の内部７４２、および概ね円筒状の外部７４４を含み、内外部は概ね三角形の部７４６により結合され、三角形部は三つの係合場所で概ね円筒状の外部７４４と係合する。
【０１０４】
概ね円筒状の内部７４２の内面は傾斜ショルダ７５６を形成する傾斜前方縁７５４を有する概ね円筒状の部７５２内の前方で終端する後方に対面する先細り部７５０を含む。傾斜ショルダ７５６の傾斜配向は好適には注射器６１０の縁６９２の配向と同一である（図２４概ね２５）。
【０１０５】
傾斜ショルダ７５６の前方に、概ね円筒状の部７５２の直径よりも小さい直径を有する概ね円筒状の部７５８がある。先細り部７６０は概ね円筒状の部７５８の前方に設置され、概ね三角形の部７４６から僅かに前方に突出しいる。潤滑孔７６１が円筒状部７５８および先細り部７６０から対角線状に延在する。
【０１０６】
方位角合わせ孔７６２が、好適には、係合場所７４８の一つに隣接した概ね三角形の部７４６内に形成されている。
【０１０７】
係合場所７４８の各々には複数のスナップ式に係止する係合要素７６４が形成され、代表例として三個が軸６２２に平行に延在する。スナップ式に係止する係合要素７６４は、好適には、図２９に示されたように概ね円筒状の外部７４４の外面に対して内方に僅かに窪んだ半径方向外方に対面する平滑面７６６を有する。スナップ式係止係合要素７６４の各々は、半径方向内方に対面する先細り面７７０を有する半径方向内方に向かう突起７６８で終端する。突起７６８の後方にはそこから軸方向に間隔をおいて半径方向内方に向かう突起７２２があり、この突起７２２は突起７６８よりも広範囲に半径方向内方へ突出しかつ突起７６８と共にアンダカット凹部７４４を形成する。選択的に、スナップ式係止係合要素７６４の突起７６８および７２２は半径方向外方へ向けられてよい。
【０１０８】
図３０Ａ、３０Ｂおよび３１を参照すると、前方位置決め要素６５０の単純化した解説図および単純化した断面図がそれぞれ示されている。前方位置決め要素６５０は、好適には、概ねリング形の部７８６により共に結合された概ね円筒状の内部７８２および概ね円筒状の外部７８４を含み、リング形部７８６は概ね円筒状の外部７８４から半径方向外方へ延びて、後方位置決め要素６４０の凹部７７４とスナップ式に係止係合する構成のスナップ式係合フランジを形成する（図２８Ａ、２８Ｂおよび２９）。圧縮バネ６６０のバネ座は、概ね円筒状の内部７８２と概ね円筒状の外部７８４との間に概ねリング形の部７８６の前方対面７８９により形成される。
【０１０９】
概ね円筒状の内部７８２は、概ね円筒形の部７９２の後方で終端する前方に対面する先細り部７９０を含む。概ね円筒形の部７９２の後方縁７９４は先細り外面７９６を有する。方位角合わせピン７９８がリング形部７８６の後方に延在しかつ後方位置決め要素の方位角合わせ孔７６２と係合するように構成される（図２８Ａ、２８Ｂおよび２９）。
【０１１０】
後方に対面する触覚部位置決め突起８００が、リング形部７８６から後方へ延在する。
【０１１１】
図３２Ａ、図３２Ｂおよび図３３を参照すると、射出可能眼内インプラント６３０の単純化した解説図、および単純化した断面図がそれぞれ示されている。眼内インプラント６３０は適宜光学的設計にしたがって構成されかつ作用するものであってよく、かつ好適にはＵＳＰ５３９１２０２、５３５４３３５、５８１４１０３、５８７６４４２、５９２８２８３、６００７５７９、６０６６１７１、６５６９１９９および６５９６０２６、ならびにＵＳ公開出願ＵＳＳＮ１０／３４２１６０および１０／３２１７９３に記載の眼内インプラントの教示を組み込み、その開示はここに参考として組み込まれる。
【０１１２】
射出可能眼内インプラント６３０は、好適には、光学的軸８１４を有する一つまたはそれ以上のレンズ８１２を含む概ね円筒状の封止された包８１０を含む。触覚部８１６は包８１０から概ね半径方向外方へ延在しかつ好適には概ね弾性の後方に傾斜した部８１８を含み、後方かつ内方へ先細りした部８２０で終端する。
【０１１３】
理解されるように、触覚部８１６は好適には、包８１０を通過する光のレベルに類似のレベルで触覚部８１６への光の透過を可能にする材料で構成される。
【０１１４】
図３４Ａ、図３４Ｂおよび図３５を参照すると、眼内インプラントディスプレイサ要素６７０の単純化した解説図および単純化した断面図がそれぞれに示されている。眼内インプラントディスプレイサ要素６７０は、好適には、概ねディスク形の部８２６により結合された概ね円筒形の内部８２２および概ね円筒形の外部８２４を含む。中央シャフト８２８は概ねディスク形の部８２６から軸６２２に沿って後方へ延在する。圧縮バネ６６０のバネ座はシャフト８２８と概ね円筒形の内部８２２との間に概ねディスク形の部８２６の後方対面８３０により形成されている。
【０１１５】
図３６および図３７を参照すると、貯蔵配向の図２１Ａおよび図２１Ｂの射出組立体の単純化した解説図および単純化した断面図が示されている。ハウジング６２０の前方部７２４には、目への射出に所望の配向で眼内インプラント６３０を一緒に保持する後方位置決め要素６４０および前方位置決め要素６５０を含む眼内インプラント取付け副集成部品９００が設置される。
【０１１６】
図３７の拡大図から理解されるように、後方位置決め要素６４０のスナップ式係止係合要素７６４は前方位置決め要素６５０のフランジ７８８と係止する。フランジ７８８は、後方位置決め要素６４０の突起７６８により後方位置決め要素６４０のアンダカット凹部７７４に係止する。
【０１１７】
後方位置決め要素６４０と前方位置決め要素６５０の相対的回転は、方位角合わせピン７９８と方位角合わせ孔７６２との係合により防止される。
【０１１８】
眼内インプラント６３０の触覚部８１６は後方位置決め要素６４０と前方位置決め要素６５０間に保持さる。理解されるように、傾斜部８１８の半径方向内方端９０２は前方位置決め要素６５０の後方縁７９４の軸方向後方にあり、かつ傾斜部８１８の後方対面中間部は後方位置決め要素６４０の前方縁９０４に対して存在する。
【０１１９】
眼内インプラントの包８１０は前方位置決め要素６５０の円筒状部７９２内にありかつ後方位置決め要素６４０の先細り部７６０の後方に延在する。眼内インプラント６３０の所望方位角配向は触覚部位置決め突起８８０間の触覚部８１６の場所により維持される。
【０１２０】
後方位置決め要素６４０の概ね円筒状の外部７４４の後方対面縁９０８は圧縮バネ６６０によりハウジング要素６２０のショルダに対して付勢され、圧縮バネの後方対面端は、前方位置決め要素６５０のリング形部７８６の前方対面７８９に対して着座する。バネ６６０の前方対面端は眼内位置決めデイスプレイサ要素６７０のディスク形部８２６の後方対面８３０に対して着座し、眼内位置決めデイスプレイサ要素６７０は、眼内インプラントデイスプレイサ要素６７０の概ね円筒状の外部８２４とハウジング要素６２０の円筒状部７２４の外面との係合によりハウジング要素６７０の円筒状部７２４へ通される。
【０１２１】
注射器６１０は、ハウジング要素６２０の概ね円筒状の後部７１０内に設置されかつ指係合突起７０２が側スロット７１６内に摺動自在に収容されるように構成される。図３６および３７に示された貯蔵配向において、指係合突起７０２は完全に引っ込められかつそのようにして側スロット７１６の後方縁に当接する。理解されるように、プランジャ６００の係合面６７４はハウジング要素６２０の後方端と係合する。
【０１２２】
本発明の特別の特徴として、後方位置決め要素６４０の傾斜した前方縁は、注射器６１０の鋭角縁６９２、方位角合わせ孔７６２、および方位角合わせピン７９８と共に、眼内インプラント６３０、後方位置決め要素６４０、前方位置決め要素６５０および注射器６１０間で所定方位角整合を提供する作用をして、眼内インプラント６３０が注射器６１０から目に発射されるときに、触覚部８１６の一つが注射器６１０の鋭角縁６９２の短部と整合するようにする。これについては図４８Ａ−４８Ｄを参照して後述する。
【０１２３】
この段階で、ユーザは好適には潤滑孔７６１を介して後方位置決め要素６４０へ粘着弾性（viscoelastic)潤滑油を使用する。粘着弾性潤滑油は、好適には、図３８−４８Ｄを参照して後述する射出工程で眼内インプラント６３０の外面を潤滑にする。
【０１２４】
図３８および３９を参照すると、眼内インプラント予備装填配向で図３６および３７の射出組立体の単純化した断面図が示されている。図３６および３７に見られる貯蔵配向の射出組立体は、軸６２２に沿って前方へ注射器６１０の指係合突起７０２を押し、それによりハウジング要素６２０およびプランジャ６００に対して注射器６１０を前方移動させる、ユーザのアクションにより図３８および３９の予備装填配向にすることができる。
【０１２５】
軸６２２に沿った注射器６１０の前方移動は、好適には、注射器６１０の鋭角前方縁６９２と後方位置決め要素６４０の傾斜ショルダ７５６との係合により停止される。
【０１２６】
図４０および図４１を参照すると、眼内インプラント装填配向で図３８および図３９の射出組立体の単純化した解説図および単純化した断面図が示されている。眼内インプラント装填配向の射出組立体は、図３８および図３９から理解されるように、前方へ注射器６１０の指係合突起７０２を押し、それによりハウジング要素６２０およびプランジャ６００に対して注射器６１０を軸６２２に沿って前方移動させる、ユーザのアクションにより図３８および３９の予備装填配向にされる。
【０１２７】
注射器６１０の鋭角前方縁６９２と後方位置決め要素６４０の傾斜ショルダとの間の係合によって、注射器６１０の前方移動が結果として後方位置決め要素６４０のハウジング要素６２０に対する前方移動になる。後方位置決め要素６４０と前方位置決め要素６５０間の係止係合は、後方位置決め要素６４０と前方位置決め要素６５０が共に所定配向に眼内インプラント６３０を支持し、前方位置決め要素６５０および眼内インプラント６３０を、圧縮バネ６６０の付勢に抗してハウジング要素６２０に対する軸６２２に沿った前方移動を後方位置決め要素６４０により可能にする。
【０１２８】
前方位置決め要素６５０および眼内インプラント６３０と共に後方位置決め要素６４０を軸６２２に沿って前方移動させることにより、眼内インプラントデイスプレイサ要素６７０のシャフト８２８は眼内インプラント７６３０の包８１０の前方対面縁９１０と係合する。
【０１２９】
眼内インプラントデイスプレイサ要素６７０に対する前方位置決め要素６５０、後方位置決め要素６４０および眼内インプラント６３０の軸６２２に沿った前方移動に続いて、眼内インプラント６３０は、前方位置決め要素６５０および後方位置決め要素６４０に対してシャフト８２８により注射器６１０の前方部６９０の前方部分６９６の内部へ向かって後方移動する。
【０１３０】
図４１の拡大部の説明図から理解されるように、眼内インプラント６３０は、触覚部８１６が包８１０上に折り畳まれてその前方に延在するように前方部６９０の前方部分６９６の内部に配置される。
【０１３１】
本発明の特別の特徴として、眼内インプラント６３０の触覚部の機械的一体性は副集成部品９００内の触覚部８１６の特定形態により注射器６１０へ装填する間維持される。包８１０がシャフト８２８により前方および後方位置決め要素６５０および６４０に対して軸６２２に沿って後方へ押されるときに、触覚部８１６の傾斜部８１８（図３２Ａ−３３）は前方位置決め要素６５０の先細り外面７９６と後方位置決め要素６４０の先細り部７６０間でそれに沿って摺動し、そのようにして包８１０に並んで前方へ伸長する。
【０１３２】
図４２および図４３を参照すると、一部注射器引き抜き配向もしくは状態（orientation)で図４０および４１の射出組立体の単純化した解説図および単純化した断面図が示されている。図４０および４１から理解されるように、眼内インプラント装填配向の射出組立体は、注射器６１０のユーザによる指係合突起７０２の係止解除により図４２および図４３の一部注射器引き抜き配向にされる。ユーザによる指係合突起７０２の係止解除により、注射器６１０はプランジャ６００、そして後方および前方位置決め要素６４０および６５０と共に、圧縮バネ６６０によりハウジング要素６２０に対して軸６２２に沿って後方へ移動し、好適には圧縮バネは完全に弛緩した配向に戻る。
【０１３３】
圧縮バネ６６０と前方位置決め要素６５０のリング形部７８６の前方対面７８９との係合は、ハウジング要素６２０に対する後方移動を可能にし、かつ後方位置決め要素６４０を後方へ移動させる。好適には、前方および後方位置決め要素６５０および６４０は図３６および３７にそれぞれ示された貯蔵配向に復帰する。後方位置決め要素６４０の傾斜ショルダ７５６と注射器６１０の鋭角前方縁６９２との間の係合により、後方位置決め要素６４０の後方移動は結果として注射器６１０をプランジャ６００、および注射器６１０の前方部６９０の前方部分６９６に位置決めされた眼内インプラント６３０と共に後方へ移動させる。
【０１３４】
図４４および図４５を参照すると、完全に引き抜いた注射器配向にある図４２および４３の射出組立体の単純化した解説図および断面図がそれぞれ示されている。一部注射器引き抜き配向の射出組立体は、図４２および４３から理解されるように、ハウジング要素６２０に対して軸６２２に沿って後方へ注射器６１０の指係合突起７０２をユーザが押すことによって図４４および４５の完全注射器引き抜き配向になり、それにより注射器６１０の鋭角前方縁６９２を後方位置決め要素６４０の傾斜ショルダ７５６から係合解除する。
【０１３５】
図４４および４５に示された配向において、注射器６１０の指係合突起７０２は完全に引き抜かれかつ側スロット７１６の後方縁に当接する。
【０１３６】
この段階で、ユーザは典型例として指係合突起７０２を押し続け、それにより線７１８に沿ってハウジング６２０の円筒部７１０の分岐部を拡開し、プランジャ６００および眼内インプラント６３０を収容する注射器６１０をそこから移動する。
【０１３７】
図４６および４７を参照すると、使用配向もしくは位置（orientation)に用意された図２１Ａおよび２１Ｂの注射器の単純化した解説図および単純化した断面図が示されている。図４６および４７から理解されるように、眼内インプラント６３０は注射器６１０の前方部６９０の前方部分６９６の内部にある。第二プランジャ部６８０の前方面は包８１０の後面と係合する。
【０１３８】
図４８Ａ、図４８Ｂ、図４８Ｃおよび図４８Ｄを参照すると、患者の目に注射器６１０の前方部分６９６内にある眼内インプラント６３０の射出の四工程を示す単純化した断面図である。図４８Ａは目の水晶体包への注射器６１０の鋭角６９２の初期挿入を示す。
【０１３９】
図４８Ｂは、注射器６１０の鋭角縁６９２の短側に隣接設置された触覚部８１６の一つが水晶体包の内側で折り畳みを展開するように、注射器６１０の外へ付勢される眼内インプラントを示す。図４８Ｃは水晶体包内の触覚部８１６の第二の一つの折り畳み展開を示し、かつ図４８Ｄは眼内インプラントの適正配向を示し、水晶体包内の完全に展開した触覚部８１６を含む。
【０１４０】
図４８Ａ−４８Ｃに特に示されたように、プランジャ６００は軸８１４に沿って眼内インプラント６３０を押す。
【０１４１】
本発明の特別の特徴として、眼内インプラント６３０と内皮間の係合をできる限り最小にするために、触覚部８１６は水晶体包に対して包８１０を角膜から後方へ付勢するように構成されかつ配置される。
【０１４２】
当業者に理解されるように、本発明は上述の特定図面および説明に限定されない。本発明の範囲は、図面を参照した上記説明から当業者に想像でき、従来技術に見られない変形および改良と同様に上述の特徴を組合せたものを含む。
【図面の簡単な説明】
【０１４３】
【図１Ａ】本発明の好適形態により構成されかつ作用する射出可能眼内インプラントの単純化された分解図である。
【図１Ｂ】本発明の好適形態により構成されかつ作用する射出可能眼内インプラントの単純化された組立図である。
【図１Ｃ】図１Ａの射出可能眼内インプラントの単純化された分解側面図である。
【図１Ｄ】図１Ｂの射出可能眼内インプラントの単純化された組立側面図である。
【図２】流体充填皮下注射器内に設置された図１Ａから図１Ｄの射出可能眼内インプラントの単純化した説明面である。
【図３】流体充填皮下注射器内に設置された図１Ａから図１Ｄの射出可能眼内インプラントの単純化した断面図である。
【図４Ａ】患者の目に対する図２および３の皮下注射器内の図１Ａから図１Ｄの眼内インプラントの射出の一工程の単純化した断面図である。
【図４Ｂ】患者の目に対する図２および３の皮下注射器内の図１Ａから図１Ｄの眼内インプラントの射出の一工程の単純化した断面図である。
【図４Ｃ】患者の目に対する図２および３の皮下注射器内の図１Ａから図１Ｄの眼内インプラントの射出の一工程の単純化した断面図である。
【図４Ｄ】患者の目に対する図２および３の皮下注射器内の図１Ａから図１Ｄの眼内インプラントの射出の一工程の単純化した断面図である。
【図５】特別設計の流体無充填皮下注射器内に設置された図１Ａから図１Ｄの射出可能眼内インプラントの単純化した説明面である。
【図６】特別設計の流体無充填皮下注射器内に設置された図１Ａから図１Ｄの射出可能眼内インプラントの単純化した断面図である。
【図７Ａ】患者の目に対する図５および６の皮下注射器内の図１Ａから図１Ｄの眼内インプラントの射出の一工程の単純化した断面図である。
【図７Ｂ】患者の目に対する図５および６の皮下注射器内の図１Ａから図１Ｄの眼内インプラントの射出の一工程の単純化した断面図である。
【図７Ｃ】患者の目に対する図５および６の皮下注射器内の図１Ａから図１Ｄの眼内インプラントの射出の一工程の単純化した断面図である。
【図７Ｄ】患者の目に対する図２および３の皮下注射器内の図１Ａから図１Ｄの眼内インプラントの射出の一工程の単純化した断面図である。
【図８Ａ】本発明の他の好適形態により構成されかつ作用する射出可能眼内インプラントの単純化された分解図である。
【図８Ｂ】本発明の他の好適形態により構成されかつ作用する射出可能眼内インプラントの単純化された組立図である。
【図８Ｃ】図８Ａの射出可能眼内インプラントの単純化された分解側面図である。
【図８Ｄ】図８Ｂの射出可能眼内インプラントの単純化された組立側面図である。
【図９】皮下注射器内に設置された図８Ａ−８Ｄの射出可能眼内インプラントの単純化された説明図である。
【図１０】皮下注射器内に設置された図８Ａ−８Ｄの射出可能眼内インプラントの単純化された断面図である。
【図１１Ａ】患者の目に対する図９および１０の皮下注射器内の図８Ａから図８Ｄの眼内インプラントの射出の一工程の単純化した断面図である。
【図１１Ｂ】患者の目に対する図９および１０の皮下注射器内の図８Ａから図８Ｄの眼内インプラントの射出の一工程の単純化した断面図である。
【図１１Ｃ】患者の目に対する図９および１０の皮下注射器内の図８Ａから図８Ｄの眼内インプラントの射出の一工程の単純化した断面図である。
【図１１Ｄ】患者の目に対する図９および１０の皮下注射器内の図８Ａから図８Ｄの眼内インプラントの射出の一工程の単純化した断面図である。
【図１２Ａ】本発明の他の好適形態による患者の目に対する図９および１０の皮下注射器内の図８Ａから図８Ｄの眼内インプラントの射出の一工程の単純化した断面図である。
【図１２Ｂ】本発明の他の好適形態による患者の目に対する図９および１０の皮下注射器内の図８Ａから図８Ｄの眼内インプラントの射出の一工程の単純化した断面図である。
【図１２Ｃ】本発明の他の好適形態による患者の目に対する図９および１０の皮下注射器内の図８Ａから図８Ｄの眼内インプラントの射出の一工程の単純化した断面図である。
【図１２Ｄ】本発明の他の好適形態による患者の目に対する図９および１０の皮下注射器内の図８Ａから図８Ｄの眼内インプラントの射出の一工程の単純化した断面図である。
【図１３Ａ】本発明の他の好適形態により構成されかつ作用する射出可能眼内インプラントの単純化された分解図である。
【図１３Ｂ】本発明の他の好適形態により構成されかつ作用する射出可能眼内インプラントの単純化された組立図である。
【図１３Ｃ】図１３Ａおよび１３Ｂの射出可能眼内インプラントの単純化された組立側面図である。
【図１４Ａ】皮下注射器内に設置された図１３Ａから１３Ｃの射出可能眼内インプラントの単純化された説明図である。
【図１４Ｂ】皮下注射器内に設置された図１３Ａから１３Ｃの射出可能眼内インプラントの単純化された断面図である。
【図１５Ａ】患者の目に対する図１４Ａおよび１４Ｂの皮下注射器内の図１３Ａから図１３Ｃの眼内インプラントの射出の一工程の単純化した断面図である。
【図１５Ｂ】患者の目に対する図１４Ａおよび１４Ｂの皮下注射器内の図１３Ａから図１３Ｃの眼内インプラントの射出の一工程の単純化した断面図である。
【図１５Ｃ】患者の目に対する図１４Ａおよび１４Ｂの皮下注射器内の図１３Ａから図１３Ｃの眼内インプラントの射出の一工程の単純化した断面図である。
【図１５Ｄ】患者の目に対する図１４Ａおよび１４Ｂの皮下注射器内の図１３Ａから図１３Ｃの眼内インプラントの射出の一工程の単純化した断面図である。
【図１６Ａ】本発明の他の好適形態により構成されかつ作用する射出可能眼内インプラントの単純化された分解図である。
【図１６Ｂ】本発明の他の好適形態により構成されかつ作用する射出可能眼内インプラントの単純化された組立図である。
【図１６Ｃ】図１６Ａおよび１６Ｂの射出可能眼内インプラントの単純化された組立側面図である。
【図１７Ａ】皮下注射器内に設置された図１６Ａから１６Ｃの射出可能眼内インプラントの単純化された説明図である。
【図１７Ｂ】皮下注射器内に設置された図１６Ａから１６Ｃの射出可能眼内インプラントの単純化された断面図である。
【図１８Ａ】患者の目に対する図１７Ａおよび１７Ｂの皮下注射器内の図１６Ａから図１６Ｃの眼内インプラントの射出の一工程の単純化した断面図である。
【図１８Ｂ】患者の目に対する図１７Ａおよび１７Ｂの皮下注射器内の図１６Ａから図１６Ｃの眼内インプラントの射出の一工程の単純化した断面図である。
【図１８Ｃ】患者の目に対する図１７Ａおよび１７Ｂの皮下注射器内の図１６Ａから図１６Ｃの眼内インプラントの射出の一工程の単純化した断面図である。
【図１８Ｄ】患者の目に対する図１７Ａおよび１７Ｂの皮下注射器内の図１６Ａから図１６Ｃの眼内インプラントの射出の一工程の単純化した断面図である。
【図１９Ａ】皮下注射器内に設置された図１６Ａから１６Ｃの射出可能眼内インプラントの単純化された説明図である。
【図１９Ｂ】皮下注射器内に設置された図１６Ａから１６Ｃの射出可能眼内インプラントの単純化された断面図である。
【図２０Ａ】患者の目に対する図１９Ａおよび１９Ｂの皮下注射器内の図１６Ａから図１６Ｃの眼内インプラントの射出の一工程の単純化した断面図である。
【図２０Ｂ】図２０Ａと同様の断面図である。
【図２０Ｃ】図２０Ａと同様の断面図である。
【図２０Ｄ】図２０Ａと同様の断面図である。
【図２１Ａ】本発明の好適形態により構成された眼内インプラント用射出組立体の単純化した分解解説図である。
【図２１Ｂ】図２０Ａと同様の分解解説図である。
【図２２】図２１Ａおよび図２１Ｂの射出組立体のプランジャ形成部の単純化した解説図である。
【図２３】図２２のXXIII-XXIII線に沿った図２２のプランジャの単純化した断面図である。
【図２４】図２１Ａおよび図２１Ｂの射出組立体の注射器形成部の単純化した解説図である。
【図２５】図２４のXXV-XXV線に沿った図２４の注射器の単純化した断面図である。
【図２６】図２１Ａおよび図２１Ｂの射出組立体のハウジング要素形成部の単純化した解説図である。
【図２７】図２６のXXVII-XXVII線に沿った図２６のハウジング要素の単純化した断面図である。
【図２８Ａ】図２１Ａおよび図２１Ｂの射出組立体の後方位置決め要素形成部の単純化した解説図である。
【図２８Ｂ】図２１Ａおよび図２１Ｂの射出組立体の後方位置決め要素形成部の単純化した解説図である。
【図２９】図２８ＡのXXIX-XXIX線に沿った図２８Ａおよび２８Ｂの後方位置決め要素の単純化した断面図である。
【図３０Ａ】図２１Ａおよび図２１Ｂの射出組立体の前方位置決め要素形成部の単純化した解説図である。
【図３０Ｂ】図２１Ａおよび図２１Ｂの射出組立体の前方位置決め要素形成部の単純化した解説図である。
【図３１】図３０ＡのXXXI-XXXI線に沿った図３０Ａおよび図３０Ｂの前方位置決め要素の単純化した断面図である。
【図３２Ａ】図２１Ａおよび図２１Ｂの射出組立体の射出可能眼内インプラント形成部の単純化した解説図である。
【図３２Ｂ】図２１Ａおよび図２１Ｂの射出組立体の射出可能眼内インプラント形成部の単純化した解説図である。
【図３３】図３２ＡのXXXIII-XXXIII線に沿った図３２Ａおよび３２Ｂの射出可能眼内インプラントの単純化した断面図である。
【図３４Ａ】図２１Ａおよび図２１Ｂの射出組立体の眼内インプラントディスプレイサ要素形成部の単純化した解説図である。
【図３４Ｂ】図２１Ａおよび図２１Ｂの射出組立体の眼内インプラントディスプレイサ要素形成部の単純化した解説図である。
【図３５】図３４ＡのXXXV-XXXV線に沿った図３４Ａおよび図３４Ｂの眼内インプラントディスプレイサ要素の単純化した断面図である。
【図３６】貯蔵配向の図２１Ａおよび図２１Ｂの射出組立体の単純化した解説図である。
【図３７】図３６のXXXVII-XXXVII線に沿った図３６の射出組立体の単純化した断面図である。
【図３８】眼内インプラント予備装填配向の図３６および図３７の射出組立体の単純化した解説図である。
【図３９】図３８のXXIX-XXIX線に沿った図３８の射出組立体の単純化した断面図である。
【図４０】眼内インプラント装填配向の図３８および図３９の射出組立体の単純化した解説図である。
【図４１】図４０のXLI-XLI線に沿った図４０の射出組立体の単純化した断面図である。
【図４２】注射器を一部引き抜いた状態の図３８および図３９の射出組立体の単純化した解説図である。
【図４３】図４２のXLIII-XLIII線に沿った図４２の射出組立体の単純化した断面図である。
【図４４】注射器を完全に引き抜いた状態の図４２および図４３の注射器組立体の単純化した断面図である。
【図４５】図４４のXLV-XLV線に沿った図４６の注射器の単純化した断面図である。
【図４６】使用準備状態の図２１Ａおよび図２１Ｂの注射器の単純化した解説図である。
【図４７】図４６のXLVII-XLVII線に沿った図４６の注射器の単純化した断面図である。
【図４８Ａ】図３２Ａ、３２Ｂおよび３３の射出可能眼内インプラントの射出工程を示す単純化した断面図である。
【図４８Ｂ】図３２Ａ、３２Ｂおよび３３の射出可能眼内インプラントの射出工程を示す単純化した断面図である。
【図４８Ｃ】図３２Ａ、３２Ｂおよび３３の射出可能眼内インプラントの射出工程を示す単純化した断面図である。
【図４８Ｄ】図３２Ａ、３２Ｂおよび３３の射出可能眼内インプラントの射出工程を示す単純化した断面図である。
【符号の説明】
【０１４４】
１００，２００，３００，４００    光学部
１０２，２０２，３０２，４０２    触覚部
１４０，１６０，２５０    注射器
５１８    フック
【図１Ａ】
2007044506.tif 000003
【図１Ｂ】
2007044506.tif 000004
【図１Ｃ】
2007044506.tif 000005
【図１Ｄ】
2007044506.tif 000006
【図２】
2007044506.tif 000007
【図３】
2007044506.tif 000008
【図４Ａ】
2007044506.tif 000009
【図４Ｂ】
2007044506.tif 000010
【図４Ｃ】
2007044506.tif 000011
【図４Ｄ】
2007044506.tif 000012
【図５】
2007044506.tif 000013
【図６】
2007044506.tif 000014
【図７Ａ】
2007044506.tif 000015
【図７Ｂ】
2007044506.tif 000016
【図７Ｃ】
2007044506.tif 000017
【図７Ｄ】
2007044506.tif 000018
【図８Ａ】
2007044506.tif 000019
【図８Ｂ】
2007044506.tif 000020
【図８Ｃ】
2007044506.tif 000021
【図８Ｄ】
2007044506.tif 000022
【図９】
2007044506.tif 000023
【図１０】
2007044506.tif 000024
【図１１Ａ】
2007044506.tif 000025
【図１１Ｂ】
2007044506.tif 000026
【図１１Ｃ】
2007044506.tif 000027
【図１１Ｄ】
2007044506.tif 000028
【図１２Ａ】
2007044506.tif 000029
【図１２Ｂ】
2007044506.tif 000030
【図１２Ｃ】
2007044506.tif 000031
【図１２Ｄ】
2007044506.tif 000032
【図１３Ａ】
2007044506.tif 000033
【図１３Ｂ】
2007044506.tif 000034
【図１３Ｃ】
2007044506.tif 000035
【図１４Ａ】
2007044506.tif 000036
【図１４Ｂ】
2007044506.tif 000037
【図１５Ａ】
2007044506.tif 000038
【図１５Ｂ】
2007044506.tif 000039
【図１５Ｃ】
2007044506.tif 000040
【図１５Ｄ】
2007044506.tif 000041
【図１６Ａ】
2007044506.tif 000042
【図１６Ｂ】
2007044506.tif 000043
【図１６Ｃ】
2007044506.tif 000044
【図１７Ａ】
2007044506.tif 000045
【図１７Ｂ】
2007044506.tif 000046
【図１８Ａ】
2007044506.tif 000047
【図１８Ｂ】
2007044506.tif 000048
【図１８Ｃ】
2007044506.tif 000049
【図１８Ｄ】
2007044506.tif 000050
【図１９Ａ】
2007044506.tif 000051
【図１９Ｂ】
2007044506.tif 000052
【図２０Ａ】
2007044506.tif 000053
【図２０Ｂ】
2007044506.tif 000054
【図２０Ｃ】
2007044506.tif 000055
【図２０Ｄ】
2007044506.tif 000056
【図２１Ａ】
2007044506.tif 000057
【図２１Ｂ】
2007044506.tif 000058
【図２２】
2007044506.tif 000059
【図２３】
2007044506.tif 000060
【図２４】
2007044506.tif 000061
【図２５】
2007044506.tif 000062
【図２６】
2007044506.tif 000063
【図２７】
2007044506.tif 000064
【図２８Ａ】
2007044506.tif 000065
【図２８Ｂ】
2007044506.tif 000066
【図２９】
2007044506.tif 000067
【図３０Ａ】
2007044506.tif 000068
【図３０Ｂ】
2007044506.tif 000069
【図３１】
2007044506.tif 000070
【図３２Ａ】
2007044506.tif 000071
【図３２Ｂ】
2007044506.tif 000072
【図３３】
2007044506.tif 000073
【図３４Ａ】
2007044506.tif 000074
【図３４Ｂ】
2007044506.tif 000075
【図３５】
2007044506.tif 000076
【図３６】
2007044506.tif 000077
【図３７】
2007044506.tif 000078
【図３８】
2007044506.tif 000079
【図３９】
2007044506.tif 000080
【図４０】
2007044506.tif 000081
【図４１】
2007044506.tif 000082
【図４２】
2007044506.tif 000083
【図４３】
2007044506.tif 000084
【図４４】
2007044506.tif 000085
【図４５】
2007044506.tif 000086
【図４６】
2007044506.tif 000087
【図４７】
2007044506.tif 000088
【図４８Ａ】
2007044506.tif 000089
【図４８Ｂ】
2007044506.tif 000090
【図４８Ｃ】
2007044506.tif 000091
【図４８Ｄ】
2007044506.tif 000092
【外国語明細書】
2007044506000001.pdf